(57)【特許請求の範囲】
【請求項１】
第１の挾持片と第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側の部分間でシート状物の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、又、前記両挾持片の内の何れか一方の挾持片には、吸着面を外向きにして該挾持片の外面で突出する如く吸盤が取り付け可能となされており、
前記第１の挾持片又は前記第２の挾持片の前記基部側の部分の先端には、前記シート状物の縁部分の外縁と当接して該縁部分が前記基部に向けて移動するのを阻止するストッパ部が設けられており、
前記ストッパ部は、前記第１の挾持片又は前記第２の挾持片としての対象挾持片の前記基部側の部分の先端で、前記開閉の方向である前後方向と直交する左右方向で見た左右部位において外方に張り出して設けられており、前記第１の挾持片と前記第２の挾持片とが重なるように閉じた状態で、該左右部位に位置する左右のストッパ部が、該閉じた積重体から外方に突出状態となることを特徴とする請求項１記載の吸盤ホルダー。
【請求項２】
前記左右のストッパ部相互が、前記対象挾持片の前記先側の部分の半円弧状を呈する挾持片外縁の外側で、該挾持片外縁に沿う如く設けられてなる半円弧状ガイド片で連結されており、該半円弧状ガイド片は、前記対象挾持片の内面を含む平面から稍浮き上がっており、該半円弧状ガイド片と該内面との間に前記シート状物を挿入させることができ、該シート状物の縁部分の外縁を前記左右のストッパ部に当接させ得ることを特徴とする請求項１記載の吸盤ホルダー。
【請求項３】
前記ストッパ部は、先側に向けて斜めに突出する傾斜突出部を具え、該傾斜突出部の先端は前記対象挾持片の前記平面から浮き上がっており、該傾斜突出部の、前記平面と対向する面は、先側に向けて該平面から離れるように傾斜した傾斜面部とされていることを特徴とする請求項１又は２記載の吸盤ホルダー。
【請求項４】
前記両挾持片の内の何れか一方の挾持片の内面の、前記先側の部分の外縁寄り部分には、前記シート状物を貫通し得る針状片が突設されると共に、他方の挾持片の前記先側の部分の外縁寄り部分には、前記シート状物を貫通した該針状片を納めるための収容空所が設けられており、前記第１の挾持片と前記第２の挾持片が閉じた状態で、該針状片が該収容空所に納められた状態となることを特徴とする請求項１記載の吸盤ホルダー。
【請求項５】
前記針状片は、その根元側が太径に形成された円錐状に形成されると共に、前記基部に面する側の母線は前記内面と直交する直線状に形成されていることを特徴とする請求項４記載の吸盤ホルダー。
【請求項６】
前記固定手段は、前記両挾持片の内の何れか一方の挾持片の内面に設けられた第１の係合部と、他方の挾持片の内面に設けられて該第１の係合部と着脱可能に係合し得る第２の係合部とを具えることを特徴とする請求項１記載の吸盤ホルダー。
【請求項７】
請求項１記載の吸盤ホルダーが、前記吸盤を取り付けられた状態で、且つ、両挾持片がシート状物を挾持した状態で、内外のガラス障子からなる引違いガラス障子の、内のガラス障子の外側のガラス面に前記吸盤の前記吸着面を吸着させて取り付けられた状態にされたときに、該引違いガラス障子を開閉したときに該吸盤ホルダーが外のガラス障子に接触しないように、前記両挾持片が閉じた状態における吸盤ホルダーの厚さが設定されていることを特徴とする吸盤ホルダー。
【請求項８】
第１の挾持片と第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側部分間でシート状部材の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、
又、前記第１の挾持片には、吸着面を外向きにして該第１の挾持片の外面で突出する如く吸盤が取り付け可能となされており、該吸盤は、該吸着面と対向する外面の中央部に取付け突部が突設されると共に該取付け突部の外周面には周方向に係合溝部が設けられており、
又、前記第１の挾持片の前記基部側の部分には、前記取付け突部を嵌め入れる大径孔部が設けられると共に、該第１の挾持片の略中央部分には、前記取付け突部の前記係合溝部と周縁部分が嵌合状態に係合し得る小径孔部が連設されてダルマ形孔部が設けられる一方、前記第２の挾持片の略中央部分には、前記取付け突部を嵌め入れる収容孔部が設けられており、該収容孔部に収容された状態にある該取付け突部の外面は前記第２の挾持片の外面と略面一状態に形成されており、
又、前記第２の挾持片の前記基部側の部分の内面の、前記開閉の方向である前後方向と直交する左右方向で見た左右両側には第１の係合部が設けられており、該第１の係合部は、該内面で突出する突出片の先端に、前記大径孔部の縁部分としての前記第２の係合部と係合し得る係合突部が設けられ、該係合突部が該縁部分と係合することによって、前記先側の部分間での前記シート状物の挾持状態が保持される如くなされており、
又、前記第１の挾持片の内面の、前記先側の部分の外縁寄り部分には、前記シート状物を貫通し得る針状片の複数本が突設されると共に、前記第２の挾持片の前記先側の部分の外縁寄り部分には、前記シート状物を貫通した該針状片を納めるための収容空所が貫通孔として設けられており、
又、対象挾持片としての前記第２の挾持片の前記基部側の部分の先端には、前記シート状物の縁部分の外縁と当接して該縁部分が前記基部に向けて移動するのを阻止するストッパ部が設けられており、該ストッパ部は、前記第２の挾持片としての前記対象挾持片の前記基部側の部分の先端で、前記左右方向で見た左右部位において外方に張り出して設けられており、前記第１の挾持片と前記第２の挾持片とが重なるように閉じた状態で、該左右部位に位置する左右のストッパ部が、該閉じた積重体から外方に突出状態となり、前記ストッパ部は、先側に向けて斜めに突出する傾斜突出部を具え、該傾斜突出部の先端は前記対象挾持片の内面を含む平面から浮き上がっており、該傾斜突出部の、前記平面と対向する面は、先側に向けて該平面から離れるように傾斜した傾斜面部とされており、前記左右のストッパ部相互が、前記対象挾持片の前記先側の部分の半円弧状を呈する挾持片外縁の外側で、該挾持片外縁に沿う如く設けられてなる半円弧状ガイド片で連結されており、該半円弧状ガイド片は、前記対象挾持片の内面を含む平面から稍浮き上がっており、該半円弧状ガイド片と該内面との間に前記シート状物を挿入させることができ、該シート状物の縁部分の外縁を前記左右のストッパ部に当接させることができ、
又、前記第１の挾持片に取り付けられた吸盤の前記吸着面を、内外のガラス障子からなる引違いガラス障子の内の、内のガラス障子の外側のガラス面に吸着させて取り付けた状態で、該引違いガラス障子を開閉したときに前記吸盤ホルダーが外のガラス障子に接触しないように、前記両挾持片が閉じた状態における吸盤ホルダーの厚さが設定されていることを特徴とする吸盤ホルダー。
【請求項９】
前記第１の挾持片の外面の中央部分には、前記前後方向に稍長い楕円形状の窪み部が設けられ、該窪み部の底面部に前記ダルマ形孔部が設けられており、該窪み部に前記吸盤の前記取付け突部の基部側の部分を嵌め入れられるようになされていることを特徴とする請求項８記載の吸盤ホルダー。
【請求項１０】
前記第１の挾持片と前記第２の挾持片は、共に、前記基部の中央部と、該中央部から先側に延長する延長線と挾持片外縁との交差点である先端部との間の距離よりも、前記左右方向で見た左右端間の距離が稍大きい楕円形状の平板体として形成されており、前記両挾持片の内の何れか一方の挾持片の内面の、前記先側の部分の外縁寄り部分には、前記シート状物を貫通し得る針状片が突設されると共に、他方の挾持片の前記先側の部分の外縁寄り部分には、前記シート状物を貫通した該針状片を納めるための収容空所が設けられていることを特徴とする請求項１記載の吸盤ホルダー。
【請求項１１】
請求項１又は２記載の吸盤ホルダーに吸盤を取り付けてなる吸盤式シート状物保持具であって、前記何れか一方の挾持片に、吸着面を外向きにして該挾持片の外面で突出する如く吸盤が取り付けられていることを特徴とする吸盤式シート状物保持具。
【請求項１２】
請求項１１記載の吸盤式シート状物保持具が前記シート状物の縁部分に取り付けられてなる日除け構成材であって、該吸盤式シート状物保持具が前記第１の挾持片と前記第２の挾持片の両先側の部分間で該縁部分を挾持してなり、前記基部側の部分が前記シート状物の縁部分から突出していることを特徴とする日除け構成材。
【請求項１３】
請求項１２記載の日除け構成材をガラス障子のガラス面に取り付けてなる窓用の日除け装置であって、前記シート状物が該ガラス面の略全体を覆った状態で前記吸盤の吸着面が該ガラス面に吸着されており、該シート状物の縁部分と該ガラス面との間には、隣り合う前記吸盤ホルダー間で、外端部が開放された開放間隙が形成されていることを特徴とする窓用の日除け装置。
【請求項１４】
前記ガラス面が、引き違いガラス障子の、内のガラス障子の外側のガラス面であって、該ガラス面に吸着された前記吸盤ホルダーが、該引き違いガラス障子を開閉したときにも外のガラス障子に接触しないように、前記両挾持片が閉じた状態における吸盤ホルダーの厚さが設定されていることを特徴とする請求項１３記載の窓用の日除け装置。
【発明の詳細な説明】
【技術分野】
【０００１】
本発明は、吸盤を取り付け可能な吸盤ホルダーに関するものであり、又、該吸盤ホルダーに吸盤を取り付けてなる吸盤式シート状物保持具に関するものであり、又、該吸盤式シート状物保持具を用いて構成された日除け構成材に関するものであり、更に、該日除け構成材を用いてなる窓用の日除け装置に関するものである。
【背景技術】
【０００２】
夏季において、建物内の温度上昇や駐車中の車内の温度上昇を抑制する目的で、特許文献１や特許文献２記載の日除け装置が提案されている。
【０００３】
これらの日除け装置は何れも、図２６、図２７に示すように、断熱性や遮光性を有するシートａの縁部分ｂに所要間隔で吸盤ｃを止着し、該吸盤ｃを建物や自動車の窓ガラスのガラス面ｄに吸着させることにより日除けを構成していた。そして該シートａに該吸盤ｃを取り付けるに際しては、図２６（Ｂ）や図２７（Ｂ）に示すように、該シートａの一面（前記ガラス面ｄに対向する面）ｅに該吸盤ｃをあてがうと共に、該シートａの他面ｆに留め具ｇをあてがい、該吸盤ｃと該留め具ｇとによって該シートａを挾んで行っていた。  
【０００４】
そして前記留め具ｇ（ｇ１）は、特許文献１にあっては図２６（Ｂ）に示すように、前記シートａに設けられた挿通孔ｈを挿通し且つ前記吸盤ｃの背面側の中央部で膨設された基部ｊの止着孔ｋに圧入される軸部ｍの端部に抜け止め片ｎを設けた構成を有していた。そして、該吸盤ｃを前記シートａに固定するに際しては、該基部ｊに設けられている前記止着孔ｋを、前記シートａに設けられている前記挿通孔ｈに該シートａの内面（前記一面）ｅ側で位置合わせすると共に、該シートａの外面（前記他面）ｆ側から前記留め具ｇ１の軸部ｍを該挿通孔ｈに挿通し且つ前記止着孔ｋに圧入することにより行っていた。
【０００５】
又前記留め具ｇ（ｇ２）は、特許文献２にあっては図２７（Ｂ）に示すような、止着孔ｗを有する板体として構成されており、前記吸盤ｃの中央部分の背面側で突設され且つ先端に係合頭部ｓが膨設されてなる止着軸ｔを、前記シートａに設けた挿通孔ｕに該シートａの内面（前記一面）ｅ側から外方に向けて挿通させ、その後、該シートａの外面（前記他面）ｆ側で突出した止着軸ｔに対して該留め具ｇ２を装着することとされていた。この際、該係合頭部ｓを弾性変形させながら該止着孔ｗに通過させ、その後における該係合頭部ｓの弾性復元によって該止着軸ｔが抜け止めされて前記吸盤ｃがシートａに止着されるように構成されていた。
【０００６】
かかる従来の日除け装置によるときは、吸盤ｃとは別体に構成された留め具ｇ（ｇ１，ｇ２）を用いて該吸盤ｃをシートａに安定的に止着するためには、特許文献１の図１や特許文献２の第１図に示されているように、該留め具ｇ（ｇ１，ｇ２）を、シートａの外縁ｘから内方に控えた部位に配置せざるを得なかった。そのため、該シートａの縁部分ｂがその全長に亘ってフリーとなるので該縁部分ｂをピンと張った状態に保持するのが難しく、該縁部分ｂにしわが寄った状態になりやすく見栄えが悪い問題があった。特に、該シートａを建物のガラス障子の外のガラス面に吸着状態に取り付けた場合は、風に煽られた際に該シートの縁部分ｂがバタツク問題もあった。更に、前記吸盤ｃを前記シートａに止着するに際しては、図２６（Ｂ）に示すように、該吸盤ｃの基部ｊに設けた止着孔ｋを、シートａに設けた挿通孔ｈに正しく位置合わせした状態で、小さな部品である前記留め具ｇ１を該挿通孔ｈに挿通して前記止着孔ｋに圧入しなければならなかったり、或いは図２７（Ｂ）に示すように、吸盤ｃの基部ｐで突設された止着軸ｔを、シートａに設けられた挿通孔ｕに挿通した後、該シートａを挿通した該止着軸ｔに小さな部品である前記留め具ｇ２を取り付けなければならず、吸盤ｃをシートａに取り付ける作業に面倒さが伴った。又、これらの留め具ｇ１，ｇ２は吸盤ｃとは別体であり、しかも小さな部品であったために、紛失し易い問題もあった。
【先行技術文献】
【特許文献】
【０００７】
【特許文献１】特開平５−６３９２７号公報
【特許文献２】実開平４−２０８３１号公報
【発明の概要】
【発明が解決しようとする課題】
【０００８】
本発明は、前記従来の問題点に鑑みて開発されたものであり、遮熱性や遮光性等を有するシート状物に対する吸盤の取り付けを簡易且つ確実に行うことができると共に、該シート状物を建物の窓ガラスや自動車の窓ガラスに取着した際、該シート状物の縁部分にしわが発生したり該縁部分が波を打った状態になるのを抑制して該縁部分の取り付け状態の見栄えを向上でき、又、該縁部分が風でばたつくのを抑制できる吸盤ホルダーの提供を課題とするものであり、又、該吸盤ホルダーを用いる吸盤式シート状物保持具の提供を課題とするものであり、又、該吸盤式シート状物保持具を用いる日除け構成材の提供を課題とするものであり、更に、該日除け構成材を用いる日除け装置の提供を課題とするものである。
【課題を解決するための手段】
【０００９】
前記課題を解決するため、本発明は以下の手段を採用する。
即ち、本発明に係る吸盤ホルダーの第１の態様は、第１の挾持片と第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側の部分間でシート状物の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、又、前記両挾持片の内の何れか一方の挾持片には、吸着面を外向きにして該挾持片の外面で突出する如く吸盤が取り付け可能となされている。そして前記第１の挾持片又は前記第２の挾持片の前記基部側の部分の先端には、前記シート状物の縁部分の外縁と当接して該縁部分が前記基部に向けて移動するのを阻止するストッパ部が設けられており、該ストッパ部は、前記第１の挾持片又は前記第２の挾持片としての対象挾持片の前記基部側の部分の先端で、前記開閉の方向である前後方向と直交する左右方向で見た左右部位において外方に張り出して設けられており、前記第１の挾持片と前記第２の挾持片とが重なるように閉じた状態で、該左右部位に位置する左右のストッパ部が、該閉じた積重体から外方に突出状態となることを特徴とするものである。
【００１０】
本発明に係る吸盤ホルダーの第２の態様は、前記第１の態様において、前記左右のストッパ部相互が、前記対象挾持片の前記先側の部分の半円弧状を呈する挾持片外縁の外側で、該挾持片外縁に沿う如く設けられてなる半円弧状ガイド片で連結されており、該半円弧状ガイド片は、前記対象挾持片の内面を含む平面から稍浮き上がっており、該半円弧状ガイド片と該内面との間に前記シート状物を挿入させることができ、該シート状物の縁部分の外縁を前記左右のストッパ部に当接させ得ることを特徴とするものである。
【００１１】
本発明に係る吸盤ホルダーの第３の態様は、前記第１、第２の形態において、前記ストッパ部は、先側に向けて斜めに突出する傾斜突出部を具え、該傾斜突出部の先端は前記対象挾持片の前記平面から浮き上がっており、該傾斜突出部の、前記平面と対向する面は、先側に向けて該平面から離れるように傾斜した傾斜面部とされていることを特徴とするものである。
【００１２】
本発明に係る吸盤ホルダーの第４の態様は、前記第１の態様において、前記両挾持片の内の何れか一方の挾持片の内面の、前記先側の部分の外縁寄り部分には、前記シート状物を貫通し得る針状片が突設されると共に、他方の挾持片の前記先側の部分の外縁寄り部分には、前記シート状物を貫通した該針状片を納めるための収容空所が設けられており、前記第１の挾持片と前記第２の挾持片が閉じた状態で、該針状片が該収容空所に納められた状態となることを特徴とするものである。
【００１３】
本発明に係る吸盤ホルダーの第５の態様は、前記第１の態様において、前記針状片が、その根元側が太径に形成された円錐状に形成されると共に、前記基部に面する側の母線は前記内面と直交する直線状に形成されていることを特徴とするものである。
【００１４】
本発明に係る吸盤ホルダーの第６の態様は、前記第１の態様において、前記固定手段が、前記両挾持片の内の何れか一方の挾持片の内面に設けられた第１の係合部と、他方の挾持片の内面に設けられて該第１の係合部と着脱可能に係合し得る第２の係合部とを具えることを特徴とするものである。
【００１５】
本発明に係る吸盤ホルダーの第７の態様は、前記第１の態様に係る吸盤ホルダーが、前記吸盤を取り付けられた状態で、且つ、両挾持片がシート状物を挾持した状態で、内外のガラス障子からなる引違いガラス障子の、内のガラス障子の外側のガラス面に前記吸盤の前記吸着面を吸着させて取り付けられた状態にされたときに、該引違いガラス障子を開閉したときに該吸盤ホルダーが外のガラス障子に接触しないように、前記両挾持片が閉じた状態における吸盤ホルダーの厚さが設定されていることを特徴とするものである。
【００１６】
本発明に係る吸盤ホルダーの第８の態様は、第１の挾持片と第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側部分間でシート状部材の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、又、前記第１の挾持片には、吸着面を外向きにして該第１の挾持片の外面で突出する如く吸盤が取り付け可能となされており、該吸盤は、該吸着面と対向する外面の中央部に取付け突部が突設されると共に該取付け突部の外周面には周方向に係合溝部が設けられている。又、前記第１の挾持片の前記基部側の部分には、前記取付け突部を嵌め入れる大径孔部が設けられると共に、該第１の挾持片の略中央部分には、前記取付け突部の前記係合溝部と周縁部分が嵌合状態に係合し得る小径孔部が連設されてダルマ形孔部が設けられる一方、前記第２の挾持片の略中央部分には、前記取付け突部を嵌め入れる収容孔部が設けられており、該収容孔部に収容された状態にある該取付け突部の外面は前記第２の挾持片の外面と略面一状態に形成されている。又、前記第２の挾持片の前記基部側の部分の内面の、前記開閉の方向である前後方向と直交する左右方向で見た左右両側には第１の係合部が設けられており、該第１の係合部は、該内面で突出する突出片の先端に、前記大径孔部の縁部分としての前記第２の係合部と係合し得る係合突部が設けられ、該係合突部が該縁部分と係合することによって、前記先側の部分間での前記シート状物の挾持状態が保持される如くなされている。又、前記第１の挾持片の内面の、前記先側の部分の外縁寄り部分には、前記シート状物を貫通し得る針状片の複数本が突設されると共に、前記第２の挾持片の前記先側の部分の外縁寄り部分には、前記シート状物を貫通した該針状片を納めるための収容空所が貫通孔として設けられている。又、対象挾持片としての前記第２の挾持片の前記基部側の部分の先端には、前記シート状物の縁部分の外縁と当接して該縁部分が前記基部に向けて移動するのを阻止するストッパ部が設けられており、該ストッパ部は、前記第２の挾持片としての前記対象挾持片の前記基部側の部分の先端で、前記左右方向で見た左右部位において外方に張り出して設けられており、前記第１の挾持片と前記第２の挾持片とが重なるように閉じた状態で、該左右部位に位置する左右のストッパ部が、該閉じた積重体から外方に突出状態となり、前記ストッパ部は、先側に向けて斜めに突出する傾斜突出部を具え、該傾斜突出部の先端は前記対象挾持片の内面を含む平面から浮き上がっており、該傾斜突出部の、前記平面と対向する面は、先側に向けて該平面から離れるように傾斜した傾斜面部とされており、前記左右のストッパ部相互が、前記対象挾持片の前記先側の部分の半円弧状を呈する挾持片外縁の外側で、該挾持片外縁に沿う如く設けられてなる半円弧状ガイド片で連結されており、該半円弧状ガイド片は、前記対象挾持片の内面を含む平面から稍浮き上がっており、該半円弧状ガイド片と該内面との間に前記シート状物を挿入させることができ、該シート状物の縁部分の外縁を前記左右のストッパ部に当接させることができる。又、前記第１の挾持片に取り付けられた吸盤の前記吸着面を、内外のガラス障子からなる引違いガラス障子の内の、内のガラス障子の外側のガラス面に吸着させて取り付けた状態で、該引違いガラス障子を開閉したときに前記吸盤ホルダーが外のガラス障子に接触しないように、前記両挾持片が閉じた状態における吸盤ホルダーの厚さが設定されていることを特徴とするものである。
【００１７】
本発明に係る吸盤ホルダーの第９の態様は、前記第８の態様において、前記第１の挾持片の外面の中央部分に、前記前後方向に稍長い楕円形状の窪み部が設けられ、該窪み部の底面部に前記ダルマ形孔部が設けられており、該窪み部に前記吸盤の前記取付け突部の基部側の部分を嵌め入れられるようになされていることを特徴とするものである。
【００１８】
本発明に係る吸盤ホルダーの第１０の態様は、前記第１の態様において、前記第１の挾持片と前記第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側の部分間でシート状物の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、又、前記両挾持片の内の何れか一方の挾持片には、吸着面を外向きにして該挾持片の外面で突出する如く吸盤が取り付け可能となされている。そして、前記第１の挾持片と前記第２の挾持片は、共に、前記基部の中央部と、該中央部から先側に延長する延長線と挾持片外縁との交差点である先端部との間の距離よりも、前記左右方向で見た左右端間の距離が稍大きい楕円形状の平板体として形成されており、前記両挾持片の内の何れか一方の挾持片の内面の、前記先側の部分の外縁寄り部分には、前記シート状物を貫通し得る針状片が突設されると共に、他方の挾持片の前記先側の部分の外縁寄り部分には、前記シート状物を貫通した該針状片を納めるための収容空所が設けられていることを特徴とするものである。
【００１９】
本発明に係る吸盤式シート状物保持具は、前記第１又は第２の態様に係る吸盤ホルダーに吸盤を取り付けてなる吸盤式シート状物保持具であって、前記何れか一方の挾持片に、吸着面を外向きにして該挾持片の外面で突出する如く吸盤が取り付けられていることを特徴とするものである。
【００２０】
本発明に係る日除け構成材は、前記吸盤式シート状物保持具が前記シート状物の縁部分に取り付けられてなる日除け構成材であって、該吸盤式シート状物保持具が前記第１の挾持片と前記第２の挾持片の両先側の部分間で該縁部分を挾持してなり、前記基部側の部分が前記シート状物の縁部分から突出していることを特徴とするものである。
【００２１】
本発明に係る窓用の日除け装置の第１の態様は、前記日除け構成材をガラス障子のガラス面に取り付けてなる窓用の日除け装置であって、前記シート状物が該ガラス面の略全体を覆った状態で前記吸盤の吸着面が該ガラス面に吸着されており、該シート状物の縁部分と該ガラス面との間には、隣り合う前記吸盤ホルダー間で、外端部が開放された開放間隙が形成されていることを特徴とするものである。
【００２２】
本発明に係る窓用の日除け装置の第２の態様は、前記ガラス面が、引き違いガラス障子の、内のガラス障子の外側のガラス面であって、該ガラス面に吸着された前記吸盤ホルダーが、該引き違いガラス障子を開閉したときにも外のガラス障子に接触しないように、前記両挾持片が閉じた状態における吸盤ホルダーの厚さが設定されていることを特徴とするものである。
【発明の効果】
【００２３】
本発明は以下の如き優れた効果を奏する。
(1) 本発明に係る吸盤ホルダーは、第１の挾持片と第２の挾持片が、その対向する基部相互を連結する蝶番部を介して開閉可能となされ、該第１の挾持片と該第２の挾持片をその内面を腹合せ状態にして重なるように閉じることにより、該両挾持片の、該蝶番部から離れた先側の部分間でのみシート状物の縁部分を挾持できると共に、該縁部分を挾持して該両挾持片が閉じた状態で、該蝶番部に近い基部側の部分相互が固定手段を介して一体化可能となされており、該第１の挾持片と該第２の挾持片が該固定手段を介して一体化された状態で、該基部側の部分が前記縁部分から突出する如くなされ、又、前記両挾持片の内の何れか一方の挾持片には、吸着面を外向きにして該挾持片の外面で突出する如く吸盤が取り付け可能となされている。
【００２４】
従って本発明によるときは、遮熱性や遮光性等を有するシート状物に対する吸盤の取り付けを、該吸盤ホルダーを介して簡易且つ確実に行うことができると共に、該シート状物を建物の窓ガラスや自動車の窓ガラス等に取り付けた際、該シート状物の縁部分にしわが発生したり該縁部分に波を打った状態となるのを抑制して該縁部分の取り付け状態の見栄えを向上できる。又、該縁部分をこのようにして取り付け得ることから、該シート状物が屋外に取り付けられる場合は、該縁部分が風でばたつくのを抑制できる。そして、該縁部分とガラス面等との間に各部均一な開放間隙を形成できるため、該開放間隙において良好な通気性を確保でき、ガラス面等と該シート状物との間の空間部で熱が発生した場合は、これを該開放間隙を通しての風通しによって効果的に逃がすことができる。
【００２５】
又、本発明に係る吸盤ホルダーによるときは、第１の挾持片と第２の挾持片が蝶番部を介して一体化されているため、前記特許文献１、２に係る日除け装置におけるような部品の紛失の恐れがない。
【００２６】
(2) 前記第１の挾持片又は前記第２の挾持片の前記基部側の部分の先端に、前記シート状物の縁部分の外縁と当接して該縁部分が前記基部側に向けて移動するのを阻止するストッパ部を設ける場合は、シート状物が必要以上に基部側に移動するのを確実に防止でき、両挾持片の先側の部分間での前記シート状物の挾持を確実に行うことができる。
このようにストッパ部を設ける場合、該ストッパ部を、前記第２の挾持片の前記基部側の部分の先端で、左右方向で見て外方に張り出す如く設ける場合は、前記第１、第２の挾持片を閉じた時に該ストッパ部が該第１、第２の挾持片に当たらないため、両挾持片が閉じた状態における肉厚をより薄く形成できることになる。
【００２７】
このように外方に突出する如く設けられた左右のストッパ部を有する対象挾持片の前記基部側の部分の先端で、左右方向で見て外方に突出する如く設けられた左右のストッパ部の、左右方向で見た外側部分相互を、該対象挾持片の半円弧状に形成された挾持片外縁の外側で該挾持片外縁に沿う如く設けられてなる半円弧状ガイド片で連結し、該半円弧状ガイド片を、該対象挾持片の内面から稍浮き上がったものとし、該半円弧状ガイド片と該内面との間に前記シート状物を挿入可能とするときは、該シート状物の縁部分を該半円弧状ガイド片と該対象挾持片の内面との間に挿入することにより、該縁部分を平面状態で安定的に挿入して該縁部分の外縁を左右のストッパ部に正しく当接させることができる。かかることから、挿入された該縁部分にしわが発生するのを防止できる。
【００２８】
(3) 特に、前記左右のストッパ部を、先側に向けて斜めに突出する傾斜突出部とし、該傾斜突出部の先端が前記対象挾持片の内面から浮き上がったものとして構成する場合は、前記縁部分の外縁側を、該傾斜突出部の先側（前側）に向けて傾斜する傾斜面部と前記内面との間の鋭角支持溝で挾持状態に支持された状態となるので、該外縁側が該内面から浮き上がるのを確実に防止できる。
【００２９】
(4) 前記両挾持片の内の何れか一方の挾持片の内面の、前記先側の部分の外縁寄り部分に、前記シート状物を貫通し得る針状片を突設し、他方の挾持片の前記先側の部分の外縁寄り部分に、該シート状物を貫通した針状片を納めるための収容空所を設けるときは、該針状片によってシート状物を確実に挾持できることになる。
【００３０】
特に、前記針状片を、その根元側が太径に形成された円錐状に形成すると共に前記基部に面する側の母線を前記内面と直交する線として形成する場合は、根元側が太径である該針状片によってシート状物の支持強度を向上できると共に、前記直交する母線で前記シート状物をより安定的に支持できる利点がある。
【００３１】
(5) 前記第１、第２の挾持片を閉じた状態で一体化可能とする前記固定手段を、何れか一方の挾持片の内面に設けられた第１の係合部と、他方の挾持片の内面に設けられて該第１の係合部と着脱可能に係合し得る第２の係合部を具えるものとして構成するときは、確実な固定が得られる固定手段を簡易に構成できることになる。
【００３２】
(6) 前記両挾持片が前記シート状物の縁部分を挾持して閉じた状態における前記吸盤ホルダーの厚さを、該吸盤ホルダーを引き違いガラス障子の、内のガラス障子の外側のガラス面に前記吸盤の前記吸着面を吸着させて取り付けた状態で該引き違い障子を開閉したときに該吸盤ホルダーが外のガラス障子に接触しないように設定するときは、該引き違いガラス障子に日除け装置を構成した場合においても、該引き違いガラス障子を、部屋の換気等を行うために自由に開閉できる利点がある。
【００３３】
(7) 前記第１、第２の挾持片を楕円形状の平板体として構成し、両挾持片の内の何れか一方の挾持片の内面側の、前記先側の部分の外縁寄り部分に、前記シート状物を貫通し得る針状片を突設すると共に、他方の挾持片の前記先側部分の外縁寄り部分に、該シート状物を貫通した該針状片を納めるための収容空所を設ける構成を採用するときは、両挾持片が前記シート状物の縁部分を挾持した状態で、各針状片におけるシート状物の保持力を略均一となし得る。
【００３４】
(8) 本発明に係る日除け構成材によるときは、ガラス障子や、自動車のフロントガラスやリアウィンド等に取り付けられて安定構造の日除けを構成できる。
【００３５】
(9) 本発明に係る窓用の日除け装置によるときは、ガラス面とシート状物との間の空間部で発生した熱を、ガラス障子の周縁部分に形成された開放間隙を通しての風通しによって効果的に逃がすことができる。
【図面の簡単な説明】
【００３６】
【図１】本発明に係る吸盤ホルダーを、これに取り付けられる吸盤と共に示す斜視図である。
【図２】本発明に係る吸盤ホルダーを示す斜視図である。
【図３】保持具とシート状物を示す斜視図である。
【図４】シート状物の縁部分に保持具を取り付けた状態を示す斜視図である。
【図５】その断面図である。
【図６】吸盤ホルダーの固定手段を示す斜視図である。
【図７】吸盤ホルダーを構成する第１、第２の挾持片の形態を説明する平面図である。
【図８】保持具に吸盤を取り付ける作業工程を説明する斜視図である。
【図９】吸盤ホルダーのストッパ部の作用を説明する斜視図である。
【図１０】第１、第２の挾持片を固定手段で一体化する作業工程を説明する断面図である。
【図１１】保持具に設けられている各針状片の略均一な保持力を説明する平面図である。
【図１２】日除け構成材を示す斜視図である。
【図１３】引き違いガラス障子のガラス面に、保持具を用いてシート状物を取り付けてなる日除け装置を示す斜視図と断面図である。
【図１４】引き違いガラス障子の開閉を可能とする保持具の構成を示す斜視図である。
【図１５】シート状物の縁部分とガラス面との間に形成された開放間隙を示す断面図である。
【図１６】ストッパ部の他の構成をその作用と共に示す斜視図である。
【図１７】ストッパ部のその他の構成をその作用と共に示す斜視図である。
【図１８】ストッパ部のその他の構成をその作用と共に示す斜視図である。
【図１９】吸盤の他の取り付け態様を示す説明図である。
【図２０】固定手段の他の態様を示す斜視図と断面図である。
【図２１】固定手段のその他の態様を示す斜視図である。
【図２２】固定手段のその他の態様を示す斜視図である。
【図２３】固定手段のその他の態様を示す斜視図と断面図である。
【図２４】第１、第２の挾持片が円板状に構成されてなる吸盤ホルダーを用いた保持具とシート状物を示す斜視図である。
【図２５】その保持具をシート状物の縁部分に取り付けた状態を示す斜視図である。
【図２６】従来の日除け装置の一例を示す斜視図である。
【図２７】従来の日除け装置のその他の例を示す斜視図である。
【発明を実施するための形態】
【実施例１】
【００３７】
図１〜４において本発明に係る吸盤ホルダー１は、吸盤２が取り付けられることによって、図３に示す吸盤式シート状物保持具（以下保持具という）３を構成できるものである。該保持具３は、図４に示すようにシート状物１７の縁部分１９に装着されて日除け構成材１１２を構成できる。そして該日除け構成材１１２は、例えば図１３に示すような日除け装置５を構成するために用いて好適である。以下、これをより具体的に説明する。
【００３８】
前記吸盤ホルダー１は、図１〜４に示すように、平板状を呈する第１の挾持片６と平板状を呈する第２の挾持片７が、その対向する基部９，１０相互を蝶番部１１を介して一連に連結されてなる一体物として構成されており、全体が例えばＡＢＳ樹脂を以て形成されている。そして該第１の挾持片６と該第２の挾持片７を、図４〜５に示すように、前記蝶番部１１の屈曲部１４で屈曲してその内面１２，１３を腹合せ状態にして重なるように閉じることにより、該両挾持片６，７の、該蝶番部１１から離れた先側の部分１５，１６間でシート状物１７の縁部分１９を挾持できる。そして、該蝶番部１１に近い基部側の部分２０，２１相互が、図６に示す固定手段２２を介して一体化可能となされており、該固定手段２２は、本実施例においては第１の係合部２３と第２の係合部２５とを含んで構成されている。該第１の挾持片６と該第２の挾持片７が該固定手段２２を介して一体化された状態で、該基部側の部分２０，２０が、図４に示すように、前記縁部分１９から突出する。
【００３９】
そして図１０（Ｃ）に示すように、該基部側の部分２０，２１相互を該固定手段２２で一体化することによって、図５（Ａ）に示すように、前記先側の部分１５，１６間での前記縁部分１９の挾持状態が保持される如くなされている。又、図３、図５に示すように、前記第１、第２の挾持片６，７の内の何れか一方の挾持片の略中央部分には、前記吸盤２が、その吸着面２６を外向きにして該挾持片の外面で突出する如く取り付け可能となされている。
【００４０】
前記第１の挾持片６は図７に示すように、前記基部９の中央部９ａと、該中央部９ａから先側（前側ともいう）に延長する延長線２９と該第１の挾持片６の挾持片外縁３０との交差点である先端部３１との間の距離Ｌ１よりも左右端間の距離Ｌ２が稍大きい楕円形状の平板体として構成されている。そして該第１の挾持片６には、図３、図５に示すように、前記吸盤２を、吸着面２６を外向きにして該第１の挾持片６の外面２７で突出する如く取り付け可能となされている。該吸盤２は図１、図５（Ａ）に示すように、その中央部分の外面（前記吸着面２６と対向する面）の中央部に、円柱状を呈する取付け突部３２が突設されると共に該取付け突部３２の外周面にはその周方向に係合溝部３３が設けられている。
【００４１】
又、該第１の挾持片６の前記基部側の部分２０には、図１〜２、図８（Ａ）に示すように、前記取付け突部３２を嵌め入れる円形の大径孔部３５が設けられると共に、該第１の挾持片６の略中央部分には小径孔部３６が設けられており、該大径孔部３５と該小径孔部３６とは、前後方向で連設されてダルマ形孔部３７を形成している。そして該小径孔部３６の周縁部分３９は、図５、図８（Ｂ）に示すように、前記取付け突部３２の前記係合溝部３３と嵌合状態に係合できる。そして図２に示すように、前記第１の挾持片６の外面２７の中央部分には、前後方向に稍長い楕円形状の窪み部４０が設けられており、該窪み部４０の底面部４１に、前記ダルマ形孔部３７が設けられている。このようにして楕円形の窪み部４０を設ける理由は、該第１の挾持片６の外面２７で突出する如く前記吸盤２を取り付けた状態において、図５（Ａ）に示すように、該外面２７からの吸盤２の突出量を極力小さくするためである。そして、このように楕円形の窪み部４０を設けたことによる第１の挾持片６の強度低下を補うために、前記内面１２には、図１に示すように、前記楕円形の窪み部４０の外周縁に沿う如く楕円形の環状の補強突状部４２が設けられている。
【００４２】
又、該第１の挾持片６の内面１２の、先側の部分の外縁寄り部分４３には、図１に示すように、その左右部位４５，４６とその間の部分４７に、針状片４９の複数本（本実施例においては５本）が突設されている。該針状片４９は、その根元側５０が太径に形成された円錐状に形成されており、図５に示すように、前記基部９に面する側の母線５１は前記内面１２と直交する線として形成されている。該針状片４９は、このように円錐状を呈するために前記シート状物１７を容易に貫通でき、その根元側５０が太径であるために該シート状物１７の支持強度に優れ、又、前記基部９側の母線５１が前記内面１２と直交する線として形成されているため、該直交する母線５１で該シート状物１７をより安定的に支持できる。
【００４３】
又前記第２の挾持片７は、図７に示すように、前記基部１０の中央部１０ａと、該中央部１０ａから先側に延長する延長線５２と該第２の挾持片７の挾持片外縁５３との交差点である先端部５５との間の距離Ｌ３よりも左右端間の距離Ｌ４が稍大きい楕円形状の平板体として構成されている。そして図１に示すように、該第２の挾持片７の先側の部分の外縁寄り部分５６には、前記シート状物１７を貫通した前記各針状片４９を納めるための収容空所５９が、貫通孔５９ａとして設けられている。該貫通孔５９ａは、本実施例においては図１に示すように、前記先側の部分の外縁寄り部分５６に、その左右部位６０，６１とその間の部分６２に設けられている。その個数は例えば５個であり、該貫通孔５９ａの径は３ｍｍ程度に設定されている。
【００４４】
又、図１〜２、図９に示すように、該第２の挾持片７の前記基部側の部分２１の先側の左右部位６３，６５に、前記シート状物１７の縁部分１９の外縁６５と当接し得るストッパ部６６，６６が設けられている。該ストッパ部６６，６６は、図１に示すように、前記第２の挾持片（本実施例においては該第２の挾持片を対象挾持片ともいう）７の前記基部側の部分２１の先側の左右部位に張り出す状態で設けられた突出部６７，６７の内面６９，６９で、先側に向けて斜めに突出する如く設けられた傾斜突出部７０，７０を以て構成され、該傾斜突出部７０，７０の先端７０ａ，７０ａは前記第２の挾持片（対象挾持片）７の内面１３から浮き上がっている。又、該傾斜突出部７０，７０の先側（前側）の面は、先側に向けて該内面１３から離れるように傾斜した傾斜面部７３，７３とされている。そして本実施例においては、該傾斜突出部７０，７０の先端相互が、該第２の挾持片７の円弧状の外周縁７１の外側で該外周縁７１に沿う如く設けられた半円弧状ガイド片７２で連結されている。該半円弧状ガイド片７２は、図３に示すように、前記第２の挾持片７の内面１３から稍浮き上がっており、図９に示すように、該半円弧状ガイド片７２と該内面１３との間に、前記シート状物１７の縁部分１９を、平面状態で障害なく挿入させることができ、該縁部分１９の外縁６５を、前記傾斜突出部７０，７０の、先側（前側）に向けて傾斜する前記傾斜前面部７３，７３の基端側部分（前記ストッパ部６６，６６）に当接させ得るようになされている。
そして図４、図１１に示すように、前記第１の挾持片６と前記第２の挾持片７とが重なるように閉じた状態で、前記ストッパ部６６，６６が、該閉じた積重体６８から外方に張り出した状態となる。
【００４５】
このようにシート状物１７を障害なく挿入させることができるのは、本実施例においては前記のように、半円弧状ガイド片７２が設けられている第２の挾持片７には貫通孔５９ａは設けられてはいるが、該内面１３に、前記針状片４９等の突起物は何ら設けられていないからである。シート状物１７をこのように当接させることによって、該シート状物１７の外縁６５が必要以上に前記基部１０側に移動するのを防止できる。該外縁６５が該基部１０側に更に移動したとすると、前記縁部分１９が障害となって、前記第１の係合部２３と前記第２の係合部２５との係合が不可能乃至困難になってしまう。前記ストッパ部６６，６６は、このような事態となるのを防止するのである。
【００４６】
そして前記第２の挾持片７の中央部分には、前記小径孔部３６に取り付けられた状態にある前記取付け突部３２の先端側の部分７５を嵌め入れるための円形状の収容孔部７６が設けられており、図５に示すように、該収容孔部７６に収容された状態にある該取付け突部３２の外面７７は、前記第２の挾持片７の外面７９と略面一状態に形成されている。
【００４７】
又、図６〜７に示すように、前記第２の挾持片７の前記基部側の部分２１の内面１３ａの左右両側には第１の係合部２３，２３が突設されている。該第１の係合部２３，２３は、該内面１３ａで突出する突出片８０，８０の先端８１，８１に、前記大径孔部３５の周縁部分８２の左右の縁部分８３，８３としての第２の係合部２５，２５と係合し得る係合突部８５，８５が設けられている。本実施例において該突出片８０は、前記収容孔部７６よりも基端側部分の左右で前後方向に比較的長く形成された開口部８６，８６の内側の円弧縁８７，８７に沿う状態で、該内面１３ａに突設されており、その内側の面８９，８９は湾曲面として形成されている。
【００４８】
前記係合突部８５，８５は、図６（Ｂ）に示すように、前記内面１３ａを水平面と見たときに上面９０，９０が、前記内面１３ａに向けて且つ前記開口部８６，８６の外側の円弧縁９１，９１に向けて下方に傾斜すると共に、該上面９０，９０の下端縁９２，９２と前記突出片８０，８０の先端８１，８１との間に、前記大径孔部３５の前記左右の縁部分８３，８３としての前記第２の係合部２５，２５と係合し得る係合段差面９３が設けられている。該係合突部８５が該縁部分８３と係合することによって、図５に示すように、前記先側の部分１５，１６間での前記シート状物１７の挾持状態が保持される如くなされている。又本実施例においては、図１に示すように、前記第２の挾持片７の内面１３の中央部分に、前記環状の補強突状部４２を嵌め入れるための楕円形状を呈する窪み部９６が設けられている。
【００４９】
かかる構成を有する第１の挾持片６と前記第２の挾持片７とは、図１に示すように、その対向する基部９，１０相互が前記蝶番部１１を介して開閉可能に連結されているが、該蝶番部１１は、本実施例においては図２に示すように、左右方向に稍幅広に形成され、その幅方向の外面中央部分は、その長さ方向に薄肉に形成されて前記屈曲部１４とされており、該第１、第２の挟持片６，７を閉じる際、該蝶番部１１は、薄肉である該屈曲部１４で折れ曲がるようになされている。
【００５０】
前記シート状物１７は、本実施例においては白色系の織物製メッシュ状シートとして構成され、図３に示すように、その経糸１００，１００間の間隔やその緯糸１０１，１０１間の間隔はランダムに設定されており、太陽光を適度に反射し且つ、メッシュ（格子状の孔部）１０２を通して太陽光を適度に室内に取り入れることができるように構成されている。該シート状物１７は、本実施例においては、図１３に示すように、建物４に設けた前記引き違いガラス障子のガラス障子１０３，１０５のガラス面１０６，１０７の略全体を覆うことができる幅と長さを有している。例えば、該シート状物１７の横幅は７５ｃｍ程度に設定されると共に、その長さは例えば９０ｃｍ程度に設定される。本実施例においては、該シート状物１７を構成する経糸１００と緯糸１０１との交差部１０９（図３）は溶着されているため、該シート状物１７は目崩れしない。又、前記シート状物１７の上下長さを整えるために該シート状物１７を所要長さで切断したときも、切断部分でほころびが生ずることもない。
【００５１】
図３は、前記構成を有する吸盤ホルダー１に前記吸盤２を取り付けてなる前記保持具３を示している。又図９は、前記シート状物１７の縁部分１９を前記半円弧状ガイド片７２と前記内面１３との間に平面状態で挿入させて該縁部分１９の外縁６５を前記傾斜前面部７３，７３の左右のストッパ部６６，６６に当接させた状態を示している。このように、シート状物１７の縁部分１９を前記半円弧状ガイド片７２と前記第２の挾持片（対象挾持片）７との間に挿入することにより、該半円弧状ガイド片７２がガイド機能を発揮して、該縁部分１９を平面状態で安定的に挿入して該縁部分１９の外縁６５を前記左右のストッパ部６６，６６に正しく当接させることができる。しかも、該縁部分１９の外縁側１９ａが前記傾斜前面部７３と前記内面１３との間の鋭角支持溝１０８で挾持状態に支持された状態となるので、該外縁側１９ａが該内面１３から浮き上がるのが確実に防止される。かかることから、挿入された該縁部分１９にしわを発生させることがない。
【００５２】
この状態で、図５（Ａ）に示すように、前記蝶番部１１を屈曲させて、前記第１の挾持片６と前記第２の挾持片７を、その内面１２，１３を腹合せ状態に閉じる。このように閉じると、図５（Ａ）（Ｂ）に示すように、前記針状片４９の夫々が前記シート状物１７の前記メッシュ１０２を貫通した後、該針状片４９が前記貫通孔５９ａ（前記収容空所５９）に収容される。この収容状態で、該針状片４９の先端４９ａは前記第２の挾持片７の外面２８から突出しない。又、該第１、第２の挾持片６，７を閉じるに伴い、前記第１の係合部２３，２３が、図１０（Ａ）（Ｂ）に示すように、その左右の係合突部８５，８５が前記大径孔部３５の縁部分８３に当接しつつ前記第１の挟持片６の外面２７に向けて移動し、最終的に、図１０（Ｃ）に示すように、該左右の係合突部８５，８５の前記係合段差面９３，９３が、前記大径孔部３５の周縁部分８２の左右の縁部分８３，８３（図６）とその外面側で係合し、これによって、前記基部側の部分２０，２１相互が前記固定手段２２を介して固定一体化される（図５）。
【００５３】
このように該針状片４９がシート状物１７を貫通して該第１、第２の挾持片６，７の閉じた状態が保持され、然もこの状態で、該針状片４９が収容空所５９に納められた状態となる（図５）。従って、該シート状物１７は該針状片４９に完全に拘束されることとなり、該シート状物１７と前記保持具３とが分離する恐れがなく、図４に示すように、該保持具３が前記シート状物１７の前記縁部分１９に取り付けられることになる。
【００５４】
本実施例においては、前記第１、第２の挾持片６，７を、左右方向に長い楕円形状に構成しているため、図１１に示すように、前記保持具３の前記固定手段２２による固定部の中心部（前記大径孔部３５の中心部）１０４と前記５本の針状片４９との間の距離Ｌ５を略等しく設定できることとなり、従って、第１、第２の挾持片６，７が前記シート状物１７の縁部分１９を挾持した状態で、各針状片４９におけるシート状物１７の保持力を略均一となし得る。
【００５５】
前記シート状物１７に前記保持具３を取り付けて構成された図１２に示す日除け構成材１１２は、図１３に示すように、建物の窓枠１１３に装着された引き違いガラス障子１１５の、内のガラス障子１１５ａの外側のガラス面１０６に前記吸盤２を吸着させて取り付けられることによって内側の日除け装置５ａを構成する。又、該日除け構成材１１２を、外のガラス障子１１５ｂの外側のガラス面１０７に前記吸盤２を吸着させて取り付けることによって外側の日除け装置５ｂを構成できる。
【００５６】
ところで該引き違いガラス障子１１５は、部屋の換気等を行うために自由に開閉できることを要するのであるが、このように日除け装置５ａ，５ｂを取り付けた状態においても、該引き違いガラス障子１１５の開閉を要することには変わりがない。そのために本実施例においては、該引き違いガラス障子１１５を開閉したときにも、図１４に示すように、前記第２の挾持片７の外面７９が外のガラス障子１１５ｂに接触しないようにするため、前記シート状物１７の縁部分１９を挾持してなる前記両挾持片６，７の閉じた状態における前記吸盤ホルダー１の厚さが所要に設定されている。本実施例においては、内のガラス障子１１５ａの外側のガラス面１０６と外のガラス障子１１５ｂの縦框１１４の内面１１８との間の間隙Ｌ６が約１０ｍｍである場合、該外側のガラス面１０６に前記吸盤２が吸着した状態にある前記閉じた状態（前記縁部分１９を挾持して閉じた状態）の保持具３の厚さＬ７は８ｍｍ程度に設定されている。然して、このようにシート状物１７で内のガラス障子１１５ａの外側のガラス面１０６を覆った状態でも、引き違い障子１１５の開閉を無理なく行うことができるのである。
【００５７】
本実施例においては、図１、図９に示すように、前記第２の挾持片７の円弧状の外周縁７１の外方に張り出す如くストッパ部６６，６６を設けることとし、前記第１、第２の挾持片６、７を閉じた時に該ストッパ部６６，６６及び前記半円弧状ガイド片７２が該第１の挾持片６に当たらないようにしている。そのため、該第２の挾持片７の内面１３でストッパ部６６を突設する場合とは異なり、第１、第２の挾持片６，７が閉じた状態における肉厚をより薄く形成できることになる。
【００５８】
又本実施例においては、図２に示すように、前記第１の挾持片６の外面２７の中央部分に窪み部４０が設けられると共に該窪み部４０の底面部４１に、前記ダルマ形孔部３７が設けられている。そして前記第２の挾持片７には、前記のように、窪み部９６と収容孔部７６が設けられている。かかることから、図５（Ａ）に示すように、前記吸盤２の前記取付け突部３２の基端側部分１１６を該窪み部４０に納めることができると共に、該取付け突部３２の先端側の部分７５を前記窪み部９６と前記収容孔部７６に納めることができる。これらによって、図５（Ａ）に示すように、前記第１、第２の挾持片６，７が前記シート状物１７の縁部分１９を挾持した状態における前記保持具３の全体の厚さを極力小さくすることができる。
【００５９】
図１３に示す日除け装置５においては、前記保持具３が、前記シート状物１７の四隅に取り付けられている。該日除け装置５は、図１２〜１３に示すように、該シート状物１７の上下方向に延長する左右の縁部分１９ａ，１９ｂの上下端側を、前記第１の挾持片６と前記第２の挾持片７の両先側の部分１５，１５間で挾持した状態とされている。
【００６０】
従って、図１３（Ａ）に示すように、該左右の縁部分１９ａ，１９ｂ及び上下の縁部分１９ｃ，１９ｄをピンと張った状態にして４個の保持具３，３，３，３を外側のガラス面１０６，１０７に、前記吸盤２の吸着作用によって取り付けると、左右の縁部分１９ａ，１９ｂ及び上下の縁部分１９ｃ，１９ｄは、しわが寄ったり波打ち状態になることなくピンと張った状態で保持されることになる。従って、シート状物１７が風で煽られたときにもその縁部分１９ａ，１９ｂ、１９ｃ，１９ｄがばたつきにくく、このようにピンと張った状態を維持させることができる。従って、該縁部分１９ａ，１９ｂ、１９ｃ，１９ｄとガラス面１０６，１０７との間には各部均一な開放間隙１１７が形成された状態が得られる。図１５は、該縁部分１９ａとガラス面１０６との間に形成された開放間隙１１７を拡大して示している。
【００６１】
かかることから、前記ガラス障子１１５ａ，１１５ｂの周縁部分に形成された開放間隙１１７において良好な通気性が確保されることになる。従って、太陽光が前記シート状物１７を透過し、ガラス面１０６，１０７と該シート状物１７との間の空間部１１９で発生した熱を、該シート状物１７の前記メッシュ１０２（図３）を通して逃がすことができると共に、前記開放間隙１１７を通しての風通しによって効果的に逃がすことができ、これらによって該空間部１１９に熱が籠もるのを極力防止できる。これにより、建物を効果的に断熱できることになる。
【００６２】
又、前記シート状物１７はメッシュ状のシートを以て構成されているため、室内に、陽射しを柔らかく取り込むことができるのであり、前記日除け装置５によるときは、採光と断熱の双方を、ほどよく両立させ得ることになる。
【００６３】
前記日除け装置５を取り外す要領の一例を説明すれば、図１３（Ｂ）において、前記第１、第２の挾持片６，７の合わせ目部分１２０に、例えばマイナスドライバの先端部分を挿入し、該合わせ目部分１２０をこじ開けるようにして前記第１の係合部２３と前記第２の係合部２５との係合状態を解除する。これによって、前記シート状物１７を前記保持具３から取り外すことができる。その後、図８に示すと逆の操作によって、前記吸盤２の前記取付け突部３２を、前記小径孔部３６から前記大径孔部３５内に位置させるように前記第１の挾持片６をスライドさせる。該取付け突部３２を該第２の挾持片７に位置させれば、吸盤ホルダー１を吸盤２から取り外すことができる。然る後、該吸盤２をガラス面１０６，１０７から取り外す。
【００６４】
比較例として、該第１、第２の挾持片６，７が独立している場合を考えると、この場合は、各針状片４９とそれに対応する収容空所５９とを正しく位置決めすると共に、前記第１の係合部２３と前記第２の係合部２５とを正しく位置合わせする必要が生じ、これらの作業に手間を要して、シート状物１７に対する保持具３の取り付け作業能率が非常に悪いものとなる。
【実施例２】
【００６５】
本発明は、前記実施例で示したものに限定されるものでは決してなく、「特許請求の範囲」の記載内で種々の設計変更が可能であることはいうまでもない。その一例を挙げれば次のようである。
【００６６】
(1) 図１６は前記シート状物１７の縁部分１９の外縁６５と当接し得るストッパ部６６の他の態様を示すものである。該ストッパ部６６は、前記第２の挾持片７の基端側の部分２１の先側の左右部位において左右方向で見て外方に張り出す状態で設けられた突出部１２１，１２１の内面で、先側に向けて斜めに突出する如く設けられた傾斜突出部１２３，１２３を以て構成されている。該傾斜突出部１２３，１２３の先端は前記対象挾持片（図１６においては第２の挾持片７）の内面１３から浮き上がっている。又、該傾斜突出部１２３，１２３の先側（前側）の面は、先側に向けて該内面１３から離れるように傾斜した傾斜面部１２５，１２５とされている。このストッパ部６６の構成は、図１に示す吸盤ホルダー１において、前記半円弧状ガイド片７２を省略したのと同様の構成である。
【００６７】
図１７は前記ストッパ部６６，６６のその他の態様を示すものであり、前記第１、第２の挾持片６，７の何れか一方の挾持片としての対象挾持片（図１７においては前記第２の挾持片７）の前記基端側の部分２１の内面１３の先側の左右で突設された軸部１２６，１２６を以て構成されている。図１７においては、該軸部１２６の前側の面が、先側（前側）に向けて前記内面１３から離れるように傾斜した傾斜面部１２７とされている。そして他方の挾持片（前記第１の挾持片６）の内面には、該第１、第２の挾持片６，７が閉じた状態で該ストッパ部６６，６６を嵌め入れる凹部１２９，１２９が設けられている。
その他、該ストッパ部６６は、例えば図１８に示す前記左右の第１の係合部２３，２３の前端部分１３０，１３０を以て構成されることもある。
【００６８】
(2) 前記シート状物１７は、遮熱や遮光、ＵＶカット等の機能を有するものの他、暖簾やカーテン、その他の、シート状を呈するもの全般を含むものであり、その使用目的に応じて、前記したメッシュ状を呈する織物製のものや編物製のもの、その他、洋紙や和紙、樹脂シート、不織布等、各種素材を以て構成できる。又、該シート状物１７は、白色系の他、黒色系や灰色系等のものであってもよい。
【００６９】
(3) 図１９は、第１、第２の挾持片６，７の何れか一方の挾持片（例えば第１の挾持片６）の略中央部分に対する吸盤２の他の取り付け態様を示すものである。該吸盤２は、その中央部分の外面に係合軸部１３１が突設されており、該係合軸部１３１はその先端１３２に、半球状の係合頭部１３３が段差１３５を介して設けられている。該係合軸部１３１は、その係合頭部１３３を弾性変形させながら、前記挾持片６の中央部分に設けられている係合孔部１３６に押し込まれる。この押し込み後に該係合頭部１３３が弾性復元することにより、図１９（Ａ）に示すように、前記段差１３５が該挾持片６の前記係合孔部１３６の周縁部分１３７と係合し、これによって、前記吸盤２が抜け止め状態で前記挾持片６に取り付けられる。
【００７０】
(4) 図２０は、前記第１の挾持片６と前記第２の挾持片７の基部側の部分２０，２１相互を固定手段２２を介して一体化可能とする他の態様を示すものである。該固定手段２２は、互いに係合でき且つ係合状態を解除できる第１の面状ファスナ片１３９と第２の面状ファスナ片１４０とを具える面状ファスナ１４１を以て構成されている。そして前記吸盤２は、図１９に示すと同様にして、何れか一方の挾持片に取り付け可能となされている。
【００７１】
該吸盤２を、例えば図１９（Ａ）と同様にして押し込みにより挾持片に取り付ける構成を採用する場合は、例えば図２０（Ａ）に示すように、前記第１、第２の挾持片６，７の基端側の部分２０，２１の内面１２，１３を平滑面に形成できる。そのため、例えば図２０（Ａ）に示すように、平滑な内面１２に、比較的大きな第１の面状ファスナ片１３９を接着する一方、平滑な内面１３に、比較的大きな第２の面状ファスナ片１４０を接着できる。
【００７２】
然して、該第１、第２の挾持片６，７を、図２０（Ｂ）に示すように、その内面１２，１３を腹合せ状態に閉じると、該第１、２の面状ファスナ片１３９，１４０が図２０（Ｃ）に示すように互いに係合することによって該第１、第２の挾持片６，７が一体化される。又、前記第１、第２の挾持片６，７の合わせ目部分にマイナスドライバの先端部分を挿入してこじ開けることにより、両面状ファスナ片１３９，１４０の係合状態を解除して該第１、第２の挾持片６，７を開くことができる。
【００７３】
図２１は、前記第１、第２の挾持片６，７を固定手段２２を介して一体化可能とする他の態様を示すものである。該固定手段２２は、互いに係合でき且つ係合状態が解除できる第１の面状ファスナ片１３９と第２の面状ファスナ片１４０とを具える面状ファスナ１４１を以て構成されている。そして前記第１の挾持片６は、前記と同様にして、吸盤２を取り付けるためのダルマ形孔部３７を具えている。この場合は、前記内面１２の前記大径孔部３５の左右両側の夫々に第１の面状ファスナ片１３９，１３９を接着する一方、前記第２の挾持片７の内面１３の平滑な基部側の部分２１には、比較的大きな前記第２の面状ファスナ片１４０を接着してなる。然して、該第１、第２の挾持片６，７を、その内面１２，１３を腹合せ状態に閉じると、両面状ファスナ片１３９，１４０が互いに係合することによって該第１、第２の挾持片６，７が一体化される。又、両面状ファスナ片１３９，１４０の係合状態を解除することにより、該第１、第２の挾持片６，７を開くことができる。
【００７４】
図２２は、前記第１、第２の挾持片６，７を固定手段２２を介して一体化可能とするその他の手段を示すものであり、前記第１、第２の面状ファスナ片１３９，１４０に代えて、両面粘着テープを用いている。この場合は、第１、第２の挾持片６，７を閉じることにより、両粘着面１４５，１４６が互いに接着することにより、該両挾持片６，７を一体化できる。
【００７５】
(5) 図２３（Ａ）（Ｂ）は、シート状物１７の縁部分１９を挾持するその他の手段を示すものであり、第１、第２の挾持片６，７の内の何れか一方（例えば第１の挾持片６）の内面１５の、前記先側の部分１５の外周縁部分４３に設けられた押圧突部１４６と、他方の挾持片（第２の挾持片７）の内面側の、前記先側の部分の外周縁部分４４に設けられた嵌入凹部１４７とを以て構成されており、該第１、第２の挾持片６，７を閉じたときに、図２３（Ｂ）に示すように、該押圧突部１４６が該シート状物１７を屈曲させながら該嵌入凹部１４７に圧入状態に嵌まり合うことにより、閉じた両挾持片６，７で該シート状物１７が挾持されるようになされている。
【００７６】
(6) 前記第１、第２の挾持片６，７の内の何れか一方の挾持片の内面の、前記先側の部分の外縁寄り部分に、前記シート状物１７を貫通し得る針状片４９を突設する場合、該針状片４９は、前記第１、第２の挾持片６，７が閉じた状態で前記シート状物１７の縁部分１９を安定的に挾持できる限り、その本数は、１本乃至複数本の適宜本数に設定できる。
【００７７】
(7) 前記第１、第２の挾持片６，７の内面１２，１３側の、前記先側の部分１５，１６に小突起を分散状態で設け、該第１、第２の挾持片６，７が閉じたときに、該小突起が前記シート状物１７の表面に食い込むことによって該シート状物１７が両挾持片６，７で挾持されるように構成することもできる。
【００７８】
第１、第２の挾持片６，７によるシート状物１７の縁部分１９を挾持するための手段は、両挾持片６，７が閉じた状態で該シート状物１７の縁部分１９を安定的に挾持できる限り各種の手段を採用できる。
【００７９】
(8) 図２４〜２５は、前記第１、第２の挾持片６，７を円板状に構成した場合を示すものであり、その具体的な構成は前記と同様である。又、該第１、第２の挾持片６，７の外形は、両者を、その内面１２，１３を腹合せ状態にして閉じることにより前記シート状物１７の縁部分１９を挾持できる限り、四角形板状等として構成することもできる。
【００８０】
(9) 本発明に係る日除け装置５は、自動車のフロントガラスやリアウインドに取り付けられて自動車の日除けとして用いることもできる。
【００８１】
(10)前記吸盤２は、ガラス面等の平滑面に対して吸着作用を発揮するが、該平滑面は、例えば建物の壁面に対しては、該壁面に貼り付けた樹脂板の平滑な表面を以て構成することができる等、平滑面を形成できる部材の貼り付けによって構成することもできる。
【符号の説明】
【００８２】
１  吸盤ホルダー
２  吸盤
３  保持具
５  日除け装置
６  第１の挾持片
７  第２の挾持片
９  基部
１０  基部
１１  蝶番部
１２  内面
１３  内面
１５  先側の部分
１６  先側の部分
１７  シート状物
１９  縁部分
２０  基部側の部分
２１  基部
２２  固定手段
２３  第１の係合部
２５  第２の係合部
３２  取付け突部
３３  係合溝部
３５  大径孔部
３６  小径孔部
４０  窪み部
４９  針状片
５０  根元側
６６  ストッパ部
７０  傾斜突出部
７２  半円弧状ガイド片
１０３  ガラス障子
１０５  ガラス障子
１０６  ガラス面
１０７  ガラス面
１１７  開放間隙
１２３  傾斜突出部
【図１】
0005490863.tif 000002
【図２】
0005490863.tif 000003
【図３】
0005490863.tif 000004
【図４】
0005490863.tif 000005
【図５】
0005490863.tif 000006
【図６】
0005490863.tif 000007
【図７】
0005490863.tif 000008
【図８】
0005490863.tif 000009
【図９】
0005490863.tif 000010
【図１０】
0005490863.tif 000011
【図１１】
0005490863.tif 000012
【図１２】
0005490863.tif 000013
【図１３】
0005490863.tif 000014
【図１４】
0005490863.tif 000015
【図１５】
0005490863.tif 000016
【図１６】
0005490863.tif 000017
【図１７】
0005490863.tif 000018
【図１８】
0005490863.tif 000019
【図１９】
0005490863.tif 000020
【図２０】
0005490863.tif 000021
【図２１】
0005490863.tif 000022
【図２２】
0005490863.tif 000023
【図２３】
0005490863.tif 000024
【図２４】
0005490863.tif 000025
【図２５】
0005490863.tif 000026
【図２６】
0005490863.tif 000027
【図２７】
0005490863.tif 000028